【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】  第一スライド部材と；
第一スライド部材に滑動可能に取り付けられた第二スライド部材と；
第二スライド部材に取り付けられた自動閉止機構であって、ハウジングと、ハウジング内のばねと、ばねによって生み出される力に応じて移動可能なアクチュエータとを具備する自動閉止機構と；
第一スライド部材に形作られたスロットであって第一スライド部材の端まで延びるスロットと；を具備する自動閉止スライドにおいて、前記アクチュエータの少なくとも一部がスロットの中に受容され、また第一スライド部材の端が第一スライド部材の縦方向軸線を横切るところの自動閉止スライド。
【請求項２】  ハウジングに取り付けられていて前記ばねとアクチュエータとを貫いているピンを、更に具備している請求項１に記載の自動閉止スライド。
【請求項３】  第一スライド部材に形作られたスロットが、第一スライド部材の端まで延びて自動閉止機構に面する第一部分と、第一部分に対して概ね直角に自動閉止機構から離れる方向に延びる第二部分とを具備するところの、及び第一スライド部材が、自動閉止機構の上に滑動し、且つ第一スライド部材スロットの第一部分が、ハウジング第一スロットの第二部分の上に滑動するところの、更に第一スライド部材スロットの第二部分がハウジング第一スロットの第一部分の上に滑動するところの、請求項１に記載の自動閉止スライド。
【請求項４】  自動閉止機構がハウジングに形作られた第一スロットを更に具備して、前記第一スロットが概ね縦方向の第一部分と前記第一部分から横方向に延びる第二部分とを有して、前記アクチュエータが第一スロットで案内される、請求項１に記載の自動閉止スライド。
【請求項５】  第一スロットがハウジングの壁に形作られて、第二スライド部材がウェブを具備して、ばねがハウジングの壁とウェブとの間に設置される、請求項４に記載の自動閉止スライド。
【請求項６】  ハウジングに形作られた第一スロットの第二部分内にアクチュエータが在るとき、ばねが圧縮される、請求項４に記載の自動閉止スライド。
【請求項７】  第一スロットから偏倚し且つ第一スロットと連通している、ハウジングに形作られた第二スロットを更に具備して、第一スロットのエッジと第二スロットのエッジとの間に歯を形成している、請求項４に記載の自動閉止スライド。
【請求項８】  第一スライド部材に形作られたスロットを橋渡ししてつなぐ帯状部を更に具備する、請求項１に記載の自動閉止スライド。
【請求項９】  アクチュエータが、帯状部に解放可能に係合する、請求項８に記載の自動閉止スライド。
【請求項１０】  帯状部がアクチュエータによって解放可能に跨られる、請求項８に記載の自動閉止スライド。
【請求項１１】  第二スライド部材が、第一端部と第二端部とを有し、また第一スライド部材が第二スライド部材の第一端部を越えて延びることができ、またハウジングが、第二スライド部材の第二端部近傍で第二スライド部材に取り付けられ、ハウジングが、少なくとも側壁と第一端部と第二端部とによって囲まれた第一壁を具備し、ハウジングの第二端部が、ハウジングの第一端部より第二スライド部材第二端部に近接し、ハウジングが、ハウジング第一壁に形作られた縦方向第一スロットを更に具備しており、またアクチュエータが第一スライド部材によって係合可能であり、前記アクチュエータが、ハウジング第一壁に形作られた第一スロットに沿って、第一位置と第二位置との間で滑動可能である、請求項１に記載の自動閉止スライド。
【請求項１２】  アクチュエータが、アクチュエータの一方の端部から対向する端部まで延びるチャネルを具備し、また前記チャネルが、第一スロットを横切る方向に向けられており、また前記チャネルが、一方の側をアクチュエータ第一部分と隣接し、対向する側をアクチュエータ第二部分と隣接する、請求項１１に記載の自動閉止スライド。
【請求項１３】  第一位置が、第二位置よりもハウジング第一端部に近接し、またアクチュエータが第一位置にあるときばねが圧縮される、請求項１１に記載の自動閉止スライド。
【請求項１４】  自動閉止機構が、第二スライド部材に分離可能に取り付けられている、請求項１に記載の自動閉止スライド。
【請求項１５】  第二スライド部材がウェブを具備し、またばねがハウジングとウェブとの間にはさまれる、請求項１に記載の自動閉止スライド。
【請求項１６】  二つの脚部分の間にウェブ部分を具備する第一スライド部材と；
第一スライド部材に滑動可能に取り付けられた第二スライド部材と；
第一スライド部材のウェブ部分に形作られたスロットであって、第一スライド部材の縦方向軸線を横切る第一スライド部材の端まで延びるスロットと；を具備する自動閉止スライドにおいて、第一スライド部材のウェブ部分に形作られたスロットが、第一スライド部材の縦方向軸線を横切る方向で延びる部分を具備する、自動閉止スライド。
【請求項１７】  第二スライド部材に取り付けられた自動閉止機構を更に具備していて、前記自動閉止機構が、前記スロットによって受容されるアクチュエータを具備している、請求項１６に記載の自動閉止スライド。
【請求項１８】  第一スライド部材と；
第一スライド部材に滑動可能に取り付けられた第二スライド部材と；
第一スライド部材に形作られたスロットであって、第一スライド部材の縦方向軸線を横切る第一スライド部材の端まで延びるスロットと；
スロットに近接して形成された開口であって、スロットと開口との間に帯状部を形成する開口と；を具備する自動閉止スライド。
【請求項１９】  第一スライド部材と；
第一スライド部材に滑動可能に取り付けられた第二スライド部材と；
第二スライド部材に取り付けられた自動閉止機構と；
第一スライド部材に形作られたスロットであって、第一スライド部材の縦方向軸線を横切る第一スライド部材の端まで延びるスロットと；を具備する自動閉止スライドにおいて、第一スライド部材に形作られたスロットが、第一スライド部材の端まで延びて自動閉止機構に面する第一部分と、第一部分に対して概ね直角に第一部分から延びる第二部分とを具備し、また第一スライド部材に形作られたスロットの第一部分のエッジと、第一スライド部材に形作られたスロットの第二部分のエッジとが頂点を形成し、また第一スライド部材が二つの脚部分の間にウェブ部分を具備し、また頂点が第一スライド部材のウェブの平面からずれた平面に沿って延びる、自動閉止スライド。
【請求項２０】  ウェブ部分の一部が段付きにされて、頂点が延びるところの平面をウェブの平面からずらす、請求項１９に記載の自動閉止スライド。
【請求項２１】  第一スライド部材と；
第一スライド部材に滑動可能に取り付けられた第二スライド部材と；
第二スライド部材に取り付けられた自動閉止機構と；
アクチュエータの少なくとも一部を受容するために第一スライド部材に形作られた開口と；を具備する自動閉止スライド。
【請求項２２】  スロットとウェブとが第一平面に沿って形作られ、また頂点が第一平面からずれた第二平面に沿って延びる、請求項１９に記載の自動閉止スライド。
【請求項２３】  ハウジングが、第二スライド部材から離間された第一壁を具備して第二スライド部材と第一壁との間に空間を形成し、さらにハウジングが、第一壁から第二スライド部材の方に延びる少なくとも一つの側壁を具備し、また前記空間が、第一壁と第二スライド部材と少なくとも一つの側壁とによって境界を付けられ、またばねが前記空間に設置され、また第一スライド部材が前記空間とばねとの上を滑動する、請求項１に記載の自動閉止スライド。
【請求項２４】  第一スライド部材と；
第一スライド部材に滑動可能に取り付けられていて、第一端部と第二端部とを有する第二スライド部材であって、第一スライド部材が第二スライド部材の第一端部を越えて延びることができるところの第二スライド部材と；
第二スライド部材に取り付けられた自動閉止機構と；を具備する自動閉止スライドにおいて、前記自動閉止機構が、
少なくとも一つの側壁によって囲まれた第一壁を有する、第二スライド部材の第二端部近傍で第二スライド部材に取り付けられた細長いハウジングであって、該ハウジングが第一端部と第二端部とを有し、またハウジング第二端部がハウジング第一端部より第二スライド部材第二端部に近接しているところの細長いハウジングと、
ハウジング第一端部と第二端部との内側に設置されたばねと、
ハウジング第一壁に形作られた縦方向第一スロットと、
ばねに取り付けられて、第一スライド部材によって係合可能なアクチュエータであって、第一位置と第二位置との間で第一スロットに沿って滑動可能なアクチュエータと、を具備し、第一スライド部材がハウジング第一端部の上を滑動する、自動閉止スライド。
【請求項２５】  第一スライド部材と；
第一スライド部材に滑動可能に取り付けられた第二スライド部材と；
第二スライド部材に取り付けられた自動閉止機構であって、ハウジング内に形成された開口を有するハウジングと、ハウジングの開口内のばねと、ばねにより生み出される力に応じて移動可能なアクチュエータとを具備する自動閉止機構と；
第一スライド部材に形作られた第一スロットと；
第二スライド部材に形作られた第二スロットと；
第一スロットと第二スロットとの間において第一スライド部材に形作られた帯状部と；を具備する自動閉止スライドであって、前記アクチュエータの少なくとも一部が、前記スロットの一つの中に受容されて帯状部と係合する、自動閉止スライド。
【請求項２６】  前記スロットの一つが第一スライド部材の端まで延び、また前記第一スライド部材の端が、第一スライド部材の縦方向軸線を横切る、請求項２５に記載の自動閉止スライド。
【手続補正２】
【補正対象書類名】明細書
【補正対象項目名】００１９
【補正方法】変更
【補正の内容】
【００１９】
アクチュエータ８２が、ガイドピンの全長に沿って滑動できるように、ガイドピン７８に滑動可能に取り付けられている（図３及び５Ａ）。一般的に、アクチュエータは、ピンによって貫通される開口８４を具備していて、その結果アクチュエータはピンに沿って滑動することができる。開口８４が、第一大直径部８４ａと第二小直径部８４ｂとをもつ区分された開口であることが好ましい。アクチュエータをハウジングの後壁５２の方に押しやるために、ばね８６がピンの上に設けられる。ばねの外径は、アクチュエータ開口の小直径部８４ｂの直径より大きく、そしてアクチュエータ開口の大直径部８４ａより小さい。ばねがガイドピンの上で保持されるように、ピンは、その前端部を、前キャップ８８を形作ることにより、もしくは曲げられることにより蓋をされる。ガイドピン７８、ばね８６、及びアクチュエータ８２は全てハウジング４６の中に収容され、そしてそれら全てが、ハウジングの後壁に対してピンと共に回動することができる。
【手続補正３】
【補正対象書類名】明細書
【補正対象項目名】００３９
【補正方法】変更
【補正の内容】
【００３９】
別の典型的実施例では、図８に例示されるように、突起又は突出部４００が戻止め１１１の代わりに使用されている。突起４００は、スロット９０の縦方向部分９２のエッジ上に、歯１０６に対向する場所に形作られて、スロット部分９２の中に突出している。相補的な凹部４０２が、アクチュエータガイド部材４０６に形作られている。アクチュエータガイド部材４０６が、閉止位置の方へ、即ち後方へ移動するとき、アクチュエータガイド部材４０６は突起によって横に押され、次に歯１０６を曲げる。アクチュエータガイド部材を伴うスライド部材が、閉止した後に“縦揺れ”即ち再伸張しようとしても、突起４００が相補的な凹部４０２と係合して縦揺れを抑えるか終わらせ、即ちスライドの伸張を妨げる。その上更に別の典型的実施例では、第二突起４０８が、第一突起４００と対向する側の歯１０６に形作られる。第二突起も縦方向スロット部分９２の中に突出している。第二突起に相補的な第二凹部４１０が、第二突起を収容するためにガイド部材４０６に形作られる。
【手続補正４】
【補正対象書類名】明細書
【補正対象項目名】００４０
【補正方法】変更
【補正の内容】
【００４０】
更に別の典型的実施例では、ガイド部材を“エネルギ蓄積”状態に保持することに役立てるために、ランプ４１５が、図８に例示されるようにスロット９０の横方向部分１００の横方向エッジ１０２に形作られることがある。ランプは、バンプ４１３により形成され横方向エッジ１０２から延びていてもよい。更に別の典型的実施例では、スロット９０の縦方向部分９２のエッジ４１１が、アクチュエータガイド部材が縦方向スロット部分に沿って移動するときにきしり音が出ることを防ぐために、図８に例示されるように、わずかに湾曲して凹面を形成していてもよい。一般的にきしり音は、プラスチック部材スライドが他のプラスチック部材に接触したときに発生する。
【手続補正５】
【補正対象書類名】明細書
【補正対象項目名】００４１
【補正方法】変更
【補正の内容】
【００４１】
更に別の典型的実施例では、ガイドピン７８が、ハウジングの後壁５２に取り付けられる代わりに、ハウジングの前壁５５に取り付けられて、前壁に対して回動することができる。
【手続補正６】
【補正対象書類名】明細書
【補正対象項目名】００４７
【補正方法】変更
【補正の内容】
【００４７】
自動閉止装置は、アクチュエータも具備している。アクチュエータは、本体２５６を具備していて、本体２５６は、この本体の両側から延びているタブ２５８をもっている（図９Ｂ）。タブは、側壁の細幅部の幅よりわずかに小さな厚さを有している。穴２６０が、本体２５６を縦方向に貫いて形作られている。穴２６０は、断面において細長くされていて、穴高さ２６４より小さな穴幅２６２を有している。一つの典型的実施例では、穴２６０の幅２６２は、ガイドピン２４６の直径より僅かに大であるが、ばね２５４の外径より小である。図９Ｂ及び９Ｃに示される典型的実施例では、前記穴は、アクチュエータ本体全長に沿って、第一細幅部分２６６から第二広幅部分２６８へと段が付けられている。第一部分２６６は、ガイドピン２４６の直径より大であるが、ばねの外径より小である幅を有している。第二部分２６８は、ばねの外径より大である幅を有している。この実施例では、第一部分２６６は、本体の後端部２７０からアクチュエータ本体２５６の前端部２７２近くの位置２７１まで延びている。そこから第二部分２６８がアクチュエータ本体の前端部２７２まで延びている。その結果、環状の肩２７３が、二つの部分の間に形成される。
【手続補正７】
【補正対象書類名】明細書
【補正対象項目名】００４９
【補正方法】変更
【補正の内容】
【００４９】
自動閉止機構を組み立てるために、ばね２５４がガイドピン２４６の上に挿入され、そしてアクチュエータは、ガイドピンがアクチュエータ穴２６０を貫くように、ガイドピンの後端部からガイドピンに挿入される。図９Ａ及び９Ｂに示される典型的実施例では、アクチュエータの前端部２７２における穴は、ばね２５４の外径より広く、ばねは、アクチュエータ本体の環状の肩２７３に接するまで、アクチュエータ部分に貫入する。ガイドピンの後端部が、後壁の内面に形作られている溝２５１の中に取り付けられ、そしてガイドピンの前端部が、前壁の内面に形作られている溝２５６の中に取り付けられる。アクチュエータの側面から延びているタブ２５８は、ハウジング側壁のガイドスロット２２２の中に滑動可能に取り付けられている。ハウジングは底壁をもってもよいが、図９Ａ及び９Ｂに示される典型的実施例では、ハウジングは底壁をもっていない。そして自動閉止機構の全体が、図１１に示されるように、脚突起２１２が突き出て外側スライド部材のウェブ２０にある対応するスロット２１３を貫くように、内側スライド部材の最後端部に取り付けられる。
【手続補正８】
【補正対象書類名】明細書
【補正対象項目名】００５７
【補正方法】変更
【補正の内容】
【００５７】
図１２Ａに示される別の典型的実施例では、ガイドピンは除かれている。この実施例では、ハウジングは底壁３１０を備えている（図１２Ｂ）。中央縦方向スロット３１２が底壁に沿って形作られている。ばね３１４が、中央縦方向スロットの中に取り付けられている。前記スロットは、ばねの外径より僅かに大きい幅３１６を有している。底壁３１０に平行な中間壁３１８が、ハウジング上壁２４４と底壁３１０との間に形作られている。中央縦方向ガイドスロット３２２が、中間壁に沿って形作られている。ガイドスロット３２２は、底壁スロット３１２と平行で且つ軸方向が一致している。アクチュエータ３２４は、アクチュエータ本体の後部近傍の底面３２８から延びている底タブ３２６を備えている（図１３Ａ、１３Ｂ）。アクチュエータは、アクチュエータの対向する側面から延びている一対の横タブ２５８も含んでいる。
【手続補正９】
【補正対象書類名】明細書
【補正対象項目名】００５９
【補正方法】変更
【補正の内容】
【００５９】
外側スライド部材１６に取り付ける前に、アクチュエータは、横タブ２５８が側壁ガイドスロット３３０の中に滑動可能に取り付けられるように、及び底タブが中間壁スロット３２２の中に滑動可能に取り付けられるように、ハウジングの中に取り付けられる。タブは、ハウジングの後壁の方に移動され、ばね３１４が、前壁２２６とアクチュエータ底タブ３２６との間の底壁スロット３１２の中に取り付けられる。底壁の厚さは、ばねがハウジングを越えて横に移動することを防ぐためにばねに側方の支持を提供するのに十分な厚さであるように選ばれる。ハウジングが外側スライド部材１６に取り付けられたとき、外側部材ウェブ２０は、底壁スロット３１２の中にばねを保持する。
【手続補正１０】
【補正対象書類名】明細書
【補正対象項目名】００６０
【補正方法】変更
【補正の内容】
【００６０】
ばねが、外側スライド部材に取り付けられたとき、ばねは、底タブとそれ故にアクチュエータとをハウジングの後壁２２４の方へ押しやる。内側スライド部材がアクチュエータに係合されて外側部材に対して伸ばされるとき、アクチュエータは、それが中間壁の切欠き３３２に達するまで前へ滑動される。アクチュエータが切欠きに到達したとき、ばねによりアクチュエータ底タブに加えられる偏心力が、アクチュエータを前方へ回転させて横タブ２５８の後端２９２を側壁ガイドスロット３３０の、横タブ２５８の後端２９２に対応するノッチ２３０と係合させる。アクチュエータの前方への回転は、アクチュエータ本体の後部近傍から延びている底タブ３２６を有することにより促進される。
【手続補正１１】
【補正対象書類名】明細書
【補正対象項目名】００６６
【補正方法】変更
【補正の内容】
【００６６】
更に、図３、７Ａ、８、及び１０に例示される実施例のような、ガイドピンを含んでいる前述したどの実施例でも、例えばばね８６のようなばねが、例えばガイドピン７８のようなガイドピンに装着され、そして、例えばキャップが、図１６に例示されるキャップ８０及び８８ように両端部に形作られて、ガイドピンは両端部にキャップを付けられる。ガイドピンの一方の端部は、ばねを装着する前にキャップを付けられてよい。もし、図１５に示されるアクチュエータが使われるなら、その時アクチュエータは、ガイドピンに“パチン”式で嵌め込まれることが可能である。代わりに、ピンが、キャップをつけられる前に、アクチュエータの中に取り付けられてもよい。そしてばねとアクチュエータとをもっているガイドピンが、例えばハウジング後壁のような、ハウジングの壁に“パチン”式で嵌め込まれる。ピンのハウジング後壁へのパチン式取り付けを可能とするために、図１７に例示される壁５２のような、開口４５０を有するハウジングの後壁が形作られており、前記開口４５０は、スロット４５２を経由して後壁５２の下端４５４に延びていて、前記スロット４５２は、開口４５０の直径より小さな幅をもっている。図１７に示される典型的実施例では、開口４５０は長円形であり、この長円形の小径はガイドピンの直径より大きい。長円形は、ピンが開口の周りで回動するのに加えて開口を横切って滑動することを可能にする。スロット４５２の幅は、ピンがスロットを通過して開口４５０に“パチン”と嵌め込まれることが可能なように、ガイドピンの直径より僅かに小さい。下端４５４に延びているスロット４５２のエッジ部分は、外側にテーパが付けられて、テーパエッジ４５６、４５８を形作っていて、スロット４５２の幅をガイドピンの直径より大きな寸法まで拡大している。スロット幅のこの拡大は、ガイドピンを所定の位置に“パチン”式に嵌め込むためにスロット４５２に案内するためのガイドを提供する。
【手続補正１２】
【補正対象書類名】図面
【補正対象項目名】図８
【補正方法】変更
【補正の内容】
【図８】
2003531660.tif 000001